(57)【要約】【課題】    本発明の目的は、電子機器の表示画面を有する表側のみ保護するようにした電子機器用保護カバーを提供するものである。【解決手段】    電子機器用保護カバーＣは、電子機器１０の裏側を覆わない電子機器用保護カバーＣであって、 表側の表示画面１０Ａを有した直方体形状の電子機器１０を覆う保護カバー部１と、この保護カバー部１に接続され、電子機器１０の頂面１０Ｂに着脱可能に取り付けられる取り付け部２とを備え、電子機器１０の頂面１０Ａには、電子機器１０の通気孔１０Ｃが設けられ、取り付け部２には、通気孔１０Ｃに対向する位置に開口部２Ｃが設けられ、電子機器１０の裏側には、覆う保護カバーがなく、露出しているものである。【選択図】図２
2018112641.tif 000002
【特許請求の範囲】
【請求項１】
電子機器の裏側を覆わない電子機器用保護カバーであって、
表側の表示画面を有した直方体形状の電子機器を覆う保護カバー部と、
この保護カバー部に接続され、前記電子機器の頂面に着脱可能に取り付けられる取り付け部とを備え、
前記取り付け部は、前記電子機器の表右上端部に係止する右上爪部と、前記電子機器の表左上端部に係止する左上爪部と、この左上爪部と前記右上爪部に接続され、前記電子機器の頂面に対向する位置に設けられた頂面部と、この頂面部に接続され、前記電子機器の裏上端部に沿うように設けられた裏上端面部と、この裏上端面部に設けられ、前記電子機器の裏上端部に係止する粘着部とを有し、
前記電子機器の裏側には、覆う保護カバーがなく、露出している
ことを特徴とする電子機器用保護カバー。
【請求項２】
電子機器の裏側を覆わない電子機器用保護カバーであって、
表側の表示画面を有した直方体形状の電子機器を覆う保護カバー部と、
この保護カバー部に接続され、前記電子機器の頂面に着脱可能に取り付けられる取り付け部とを備え、
前記電子機器の頂面には、前記電子機器の通気孔が設けられ、
前記取り付け部には、前記通気孔に対向する位置に開口部が設けられ、
前記電子機器の裏側には、覆う保護カバーがなく、露出している
ことを特徴とする電子機器用保護カバー。
【請求項３】
電子機器の裏側を覆わず、表側の表示画面を有した直方体形状の電子機器を覆う電子機器用保護カバーであって、
前記表側に表示画面を有した直方体形状の電子機器を覆う保護カバー部と、
この保護カバー部に接続され、前記電子機器の頂面に着脱可能に取り付けられる取り付け部とを備え、
前記保護カバー部に前記取り付け部に対して回動自在を可能にする柔軟部が設けられ、
前記電子機器の裏側には、覆う保護カバーがなく、露出している
ことを特徴とする電子機器用保護カバー。
【請求項４】
電子機器の頂面には、前記電子機器の通気孔が設けられ、
取り付け部には、前記電子機器の通気孔に対向する位置に開口部が設けられ、
保護カバー部には、貫通するカバー通気孔が設けられ、
前記カバー通気孔の位置は、前記保護カバー部を開いて、開いた前記保護カバー部を前記電子機器の裏面に位置させた時、前記電子機器の通気孔が前記カバー通気孔に連通する位置である
ことを特徴とする請求項２又は請求項３記載の電子機器用保護カバー。
【請求項５】
直方体形状の電子機器を収納し、前記電子機器の充電、電源を供給する充電用ドックを有し、
前記充電用ドックには、上方を開口した収納部が設けられ、
前記収納部は、前記電子機器を受け入れる寸法で、
この寸法は、前記電子機器を覆った保護カバー部ごと前記収納部内に収納できないものである
ことを請求項１〜４のいずれかに記載の電子機器用保護カバー。
【請求項６】
直方体形状の電子機器を収納し、前記電子機器の充電、電源を供給する充電用ドックを有し、
前記充電用ドックには、上方を開口した収納部が設けられ、
前記収納部は、前記電子機器を受け入れる寸法で、
この寸法は、前記電子機器を覆った保護カバー部ごと前記収納部内に収納できないものであり、
前記充電用ドックに前記電子機器が電子機器用保護カバーを装着したまま収納された時、前記収納部に前記電子機器が、前記収納部の外側に前記保護カバー部が、それぞれ位置している
ことを請求項１〜５のいずれかに記載の電子機器用保護カバー。
【発明の詳細な説明】
【技術分野】
【０００１】
本発明は、ゲーム機、携帯型ゲーム機、ＰＤＡ(Personal Digital Assistant)、携帯電話、スマートフォン、電子辞書、デジタルカメラ、デジタルオーディオプレーヤー等の電子機器に用いられ、該電子機器を保護するための電子機器用保護カバーに係り、特に、電子機器の表示画面を有する表側のみ保護するようにした電子機器用保護カバーに関する。
【背景技術】
【０００２】
従来、例えば、 ゲーム機を袋内に収納して、ゲーム機を保護するようにしていた。
【先行技術文献】
【特許文献】
【０００３】
【特許文献１】特開２００３−１６４６６３号公報
【発明の概要】
【発明が解決しようとする課題】
【０００４】
しかしながら、上記のものにあっては、全体を覆ってゲーム機を保護しているため、過剰に保護しているという問題点があった。
【０００５】
本発明は、上記要望を考慮してなされた電子機器の表示画面を有する表側のみ保護するようにした電子機器用保護カバーを提供することを目的とする。
【課題を解決するための手段】
【０００６】
請求項１記載の電子機器用保護カバーは、電子機器の裏側を覆わない電子機器用保護カバーであって、表側の表示画面を有した直方体形状の電子機器を覆う保護カバー部と、この保護カバー部に接続され、前記電子機器の頂面に着脱可能に取り付けられる取り付け部とを備え、前記取り付け部は、前記電子機器の表右上端部に係止する右上爪部と、前記電子機器の表左上端部に係止する左上爪部と、この左上爪部と前記右上爪部に接続され、前記電子機器の頂面に対向する位置に設けられた頂面部と、この頂面部に接続され、前記電子機器の裏上端部に沿うように設けられた裏上端面部と、この裏上端面部に設けられ、前記電子機器の裏上端部に係止する粘着部とを有し、前記電子機器の裏側には、覆う保護カバーがなく、露出しているものである。
【０００７】
また、請求項２記載の電子機器用保護カバーは、電子機器の裏側を覆わない電子機器用保護カバーであって、表側の表示画面を有した直方体形状の電子機器を覆う保護カバー部と、この保護カバー部に接続され、前記電子機器の頂面に着脱可能に取り付けられる取り付け部とを備え、前記電子機器の頂面には、前記電子機器の通気孔が設けられ、前記取り付け部には、前記通気孔に対向する位置に開口部が設けられ、前記電子機器の裏側には、覆う保護カバーがなく、露出しているものである。
【０００８】
また、請求項３記載の電子機器用保護カバーは、電子機器の裏側を覆わず、表側の表示画面を有した直方体形状の電子機器を覆う電子機器用保護カバーであって、前記表側に表示画面を有した直方体形状の電子機器を覆う保護カバー部と、この保護カバー部に接続され、前記電子機器の頂面に着脱可能に取り付けられる取り付け部とを備え、前記保護カバー部に前記取り付け部に対して回動自在を可能にする柔軟部が設けられ、前記電子機器の裏側には、覆う保護カバーがなく、露出しているものである。
【０００９】
また、請求項４記載の電子機器用保護カバーは、請求項２又は請求項３記載の電子機器用保護カバーにおいて、電子機器の頂面には、前記電子機器の通気孔が設けられ、取り付け部には、前記電子機器の通気孔に対向する位置に開口部が設けられ、保護カバー部には、貫通するカバー通気孔が設けられ、前記カバー通気孔の位置は、前記保護カバー部を開いて、開いた前記保護カバー部を前記電子機器の裏面に位置させた時、前記電子機器の通気孔が前記カバー通気孔に連通する位置である。
【００１０】
また、請求項５記載の電子機器用保護カバーは、請求項１〜４のいずれかに記載の電子機器用保護カバーにおいて、直方体形状の電子機器を収納し、前記電子機器の充電、電源を供給する充電用ドックを有し、前記充電用ドックには、上方を開口した収納部が設けられ、前記収納部は、前記電子機器を受け入れる寸法で、この寸法は、前記電子機器を覆った保護カバー部ごと前記収納部内に収納できないものである。
【００１１】
また、請求項６記載の電子機器用保護カバーは、請求項１〜５のいずれかに記載の電子機器用保護カバーにおいて、直方体形状の電子機器を収納し、前記電子機器の充電、電源を供給する充電用ドックを有し、前記充電用ドックには、上方を開口した収納部が設けられ、前記収納部は、前記電子機器を受け入れる寸法で、この寸法は、前記電子機器を覆った保護カバー部ごと前記収納部内に収納できないものであり、前記充電用ドックに前記電子機器が電子機器用保護カバーを装着したまま収納された時、前記収納部に前記電子機器が、前記収納部の外側に前記保護カバー部が、それぞれ位置しているものである。
【発明の効果】
【００１２】
請求項１記載の電子機器用保護カバーによれば、電子機器の裏側には、覆う保護カバーがなく、露出していても、表側の表示画面を有した直方体形状の電子機器を覆う保護カバー部があれば、表示画面を保護することができ、しかも、電子機器用保護カバーを取り付け部を介して、電子機器に容易に取り付けることができる。
【００１３】
また、請求項２記載の電子機器用保護カバーによれば、電子機器の裏側には、覆う保護カバーがなく、露出していても、表側の表示画面を有した直方体形状の電子機器を覆う保護カバー部があれば、表示画面を保護することができ、しかも、電子機器用保護カバーを取り付け部を介して、電子機器に容易に取り付けることができ、また、取り付け部には、電子機器の通気孔に対向する位置に開口部が設けられているため、電子機器の通気孔、開口部を介して空気が流れ、電子機器の内部の発熱部材を冷却することができる。
【００１４】
また、請求項３記載の電子機器用保護カバーによれば、電子機器の裏側には、覆う保護カバーがなく、露出していても、表側の表示画面を有した直方体形状の電子機器を覆う保護カバー部があれば、表示画面を保護することができ、しかも、電子機器用保護カバーを取り付け部を介して、電子機器に容易に取り付けることができ、また、保護カバー部に取り付け部に対して回動自在を可能にする柔軟部が設けられているため、電子機器を使用するときは、柔軟部を介して電子機器用保護カバーを開いて表示画面を使用することができる。
【００１５】
また、請求項４記載の電子機器用保護カバーによれば、上述した請求項２又は請求項３記載の発明の効果に加え、電子機器の頂面には、前記電子機器の通気孔が設けられ、取り付け部には、前記電子機器の通気孔に対向する位置に開口部が設けられ、保護カバー部には、貫通するカバー通気孔が設けられ、カバー通気孔の位置は、前記保護カバー部を開いて、開いた前記保護カバー部を前記電子機器の裏面に位置させた時、前記電子機器の通気孔が前記カバー通気孔に連通する位置であるため、電子機器の使用中、電子機器の通気孔、取り付け部の開口部、カバー通気孔を介して空気が流れ、電子機器の内部の発熱部材を冷却することができる。
【００１６】
また、請求項５記載の電子機器用保護カバーによれば、上述した請求項１〜４のいずれかに記載の発明の効果に加え、直方体形状の電子機器を収納し、前記電子機器の充電、電源を供給する充電用ドックには、上方を開口した収納部が設けられ、前記収納部は、前記電子機器を受け入れる寸法で、この寸法は、前記電子機器を覆った保護カバー部ごと前記収納部内に収納できないものであるため、保護カバー部を電子機器の外側に位置させた状態で、電子機器を収納部に収納すれば、充電用ドックに電子機器用保護カバーを装着したまま電子機器を収納することができる。
【００１７】
また、請求項６記載の電子機器用保護カバーによれば、上述した請求項１〜５のいずれかに記載の発明の効果に加え、直方体形状の電子機器を収納し、前記電子機器の充電、電源を供給する充電用ドックを有し、前記充電用ドックには、上方を開口した収納部が設けられ、前記収納部は、前記電子機器を受け入れる寸法で、この寸法は、前記電子機器を覆った保護カバー部ごと前記収納部内に収納できないものであり、前記充電用ドックに前記電子機器が電子機器用保護カバーを装着したまま収納された時、前記収納部に前記電子機器が、前記収納部の外側に前記保護カバー部が、それぞれ位置しているため、充電用ドックに電子機器に電子機器用保護カバーを装着したまま収納することができる。
【図面の簡単な説明】
【００１８】
【図１】図１は、本発明の一実施例の電子機器用保護カバーを電子機器に装着した状態の概略的斜視図である。
【図２】図２は、図１の装着前の状態を電子機器の表側から見た概略的斜視図である。
【図３】図３は、図１の装着前の状態を電子機器の裏側から見た概略的斜視図である。
【図４】図４は、図１の電子機器用保護カバーを構成する取り付け部の概略的斜視図である。
【図５】図５は、図１の電子機器用保護カバーを電子機器に装着した一使用形態を示す概略的斜視図である。
【図６】図６は、図１の電子機器を充電用ドックの収納部に収納させる前の状態の概略的斜視図である。
【図７】図７は、図６の保護カバー部を電子機器の外側に位置させた状態で、電子機器を充電用ドックの収納部に収納させた状態の概略的斜視図である。
【発明を実施するための形態】
【００１９】
本発明の一実施例の電子機器用保護カバーを図面（図１乃至図７）を参照して説明する。
図１乃至図３に示すＣは電子機器１０の裏側Ｎを覆わない電子機器用保護カバーで、電子機器用保護カバーＣは、表側Ｍの表示画面１０Ａを有した直方体形状の電子機器１０を覆う保護カバー部１を有している。
【００２０】
図１の電子機器１０は、ゲーム機、携帯型ゲーム機、ＰＤＡ(Personal Digital Assistant)、携帯電話、スマートフォン、電子辞書、デジタルカメラ、デジタルオーディオプレーヤー等であり、電子機器１０の頂面１０Ｂ（図３参照）には、電子機器１０の通気孔１０Ｃが設けられている。取り付け部２には、図１に示すように、通気孔１０Ｃに対向する位置に開口部２Ｃが設けられている。
なお、図１に示す電子機器１０が、例えば、ゲーム機の場合、ゲーム機の両側に設けられた操作部は、省略して図示されている。
そして、図１乃至図３に示す２は、保護カバー部１に接続され（接続は、例えば、接着剤を介して接続する。）、電子機器１０の頂面１０Ｂに着脱可能に取り付けられる取り付け部（図４参照）であり、電子機器１０に電子機器用保護カバーＣの装着にあっては、電子機器１０の裏側Ｎには、覆う保護カバーがなく、露出している（図１乃至図３参照）。
【００２１】
従って、上述した電子機器用保護カバーＣによれば、電子機器１０の裏側Ｎには、覆う保護カバーがなく、露出していても、表側の表示画面１０Ａを有した直方体形状の電子機器１０を覆う保護カバー部１があれば、表示画面１０Ａを保護することができ、しかも、電子機器用保護カバーＣを取り付け部２を介して、電子機器１０に容易に取り付けることができ、また、取り付け部２には、電子機器１０の通気孔１０Ｃに対向する位置に開口部２Ｃが設けられているため、電子機器１０の通気孔１０Ｃ、開口部２Ｃを介して空気が流れ、電子機器１０の内部の発熱部材（図示せず）を冷却することができる。
【００２２】
上述した取り付け部２は、電子機器１０の表右上端部１０Ｘに係止する右上爪部２Ｘと、電子機器１０の表左上端部１０Ｙに係止する左上爪部２Ｙと、この左上爪部２Ｙと右上爪部２Ｘに接続され、電子機器１０の頂面１０Ｂに対向する位置に設けられた頂面部２Ｂと、この頂面部２Ｂに接続され、電子機器１０の裏上端部１０Ｚに沿うように設けられた平坦面である裏上端面部２Ｚと、この裏上端面部２Ｚに設けられ、電子機器１０の裏上端部１０Ｚに係止する粘着部３（粘着部３は、望ましくはあった方が良いが、場合により、無くても良い。）とを有している。
そのため、電子機器１０の裏側Ｎには、覆う保護カバーがなく、露出していても、表側の表示画面１０Ａを有した直方体形状の電子機器１０を覆う保護カバー部１があれば、表示画面１０Ａを保護することができ、しかも、電子機器用保護カバーＣを取り付け部２を介して、電子機器１０に容易に取り付けることができる。
【００２３】
上述した保護カバー部１には、取り付け部２に対して回動自在を可能にする柔軟部１Ａが設けられ、電子機器１０を使用するときは、柔軟部１Ａ（図５参照）を介して電子機器用保護カバーＣを開いて表示画面１０Ａを使用することができる。
【００２４】
上述した保護カバー部１には、貫通するカバー通気孔１Ｕが設けられ、カバー通気孔１Ｕの位置は、保護カバー部１を開いて、開いた保護カバー部１を電子機器１０の裏面に位置させた時、図５に示すように、電子機器１０の通気孔１０Ｃ（図２参照）がカバー通気孔１Ｕに連通する位置であるため、電子機器１０の使用中、電子機器１０の通気孔１０Ｃ、取り付け部２の開口部２Ｃ、カバー通気孔１Ｕ（図１及び図５参照）を介して空気が流れ、電子機器１０の内部の発熱部材（図示せず）を冷却することができる。
【００２５】
また、図６及び図７に示す１００は、直方体形状の電子機器１０を収納し、テレビへの出力と、電子機器１０の充電、電源を供給する充電用ドック（クレイドル）である。
充電用ドック１００には、上方を開口した収納部１００ａが設けられ、収納部１００ａは、電子機器１０を受け入れる寸法（例えば、縦Ａ、横Ｂ、高さＨ）で、この寸法は、電子機器１０［例えば、図２に示す縦ａ、横ｂ、高さｈ、保護カバー部１の厚みを、例えば、２ｍｍとすれば、ａ＜Ａ＜ａ＋１ｍｍ、ｂ＜Ｂ  ｈ＜Ｈ、（又は、ａ＜Ａ＜ａ＋１ｍｍ、ｂ＞Ｂ  、ｈ＜Ｈ）、（又は、ａ＜Ａ＜ａ＋１ｍｍ、ｂ≦Ｂ  、ｈ＜Ｈ）、（又は、ａ＜Ａ＜ａ＋１ｍｍ、ｂ≧Ｂ  、ｈ＜Ｈ）］を覆った保護カバー部１ごと収納部１００ａ内に収納できないものとなっている。
収納部１００ａに電子機器１０に電子機器用保護カバーＣを装着したまま収納するためには、保護カバー部１を電子機器１０の外側に位置させた状態で、電子機器１０を収納部１００ａに収納すれば良い。
つまり、保護カバー部１を電子機器１０の外側に位置させた状態で、電子機器１０を収納部１００ａに収納すれば、収納部１００ａに電子機器１０が、収納部１００ａの外側に保護カバー部１が、それぞれ位置し、充電用ドック１００に電子機器用保護カバーＣを装着したまま電子機器１０を収納することができる（図７参照）。
【符号の説明】
【００２６】
Ｃ      電子機器用保護カバー
１      保護カバー部
２      取り付け部
２Ｃ    通気孔
１０    電子機器
１０Ａ  表示画面
１０Ｂ  頂面
１０Ｃ  通気孔
【図１】
2018112641.tif 000003
【図２】
2018112641.tif 000004
【図３】
2018112641.tif 000005
【図４】
2018112641.tif 000006
【図５】
2018112641.tif 000007
【図６】
2018112641.tif 000008
【図７】
2018112641.tif 000009